(57)【要約】【目的】  内部にタンク等の諸設備を吊り下げることができ、処分が容易で、かつ風にも安定した屋外トイレ用外枠を提供する。【構成】  各ポール１１０等を連結ジョイント１７０Ａ等で組み合わせることにより構成されるフレーム１００と、このフレーム１００の外側に被せられ、フレーム１００の内部を覆い隠すシート素材２００とを備えており、前記ポール１１０等及びシート素材２００は、生分解性プラスチックから構成されている。また、各ポール１１０等は、少なくとも外径が汎用品の合成樹脂製パイプと同一に設定されている。前記フレーム１００の天井部には、シート素材２００の天井面の略中央部を上側に向かって突出させる突出用ポール１６０が設けられている。【選択図】      図１
2005273379.tif 000002
【特許請求の範囲】
【請求項１】
ポールを連結ジョイントにより組み合わせることにより構成されるフレームと、このフレームの外側に被せられ、フレームの内部を覆い隠すシート素材とを具備しており、前記ポール及びシート素材は、生分解性プラスチックからなることを特徴とする屋外トイレ用外枠。
【請求項２】
前記ポールは、少なくとも外径が汎用品の合成樹脂製パイプと同一に設定されていることを特徴とする請求項１記載の屋外トイレ用外枠。
【請求項３】
前記フレームの天井部には、シート素材の天井面の略中央部を上側に向かって突出させる突出用ポールが設けられていることを特徴とする請求項１又は２記載の屋外トイレ用外枠。
【発明の詳細な説明】
【技術分野】
【０００１】
本発明は、キャンプ場、山小屋や災害時の避難所等に設置される屋外用トイレを覆う屋外トイレ用外枠に関する。
【背景技術】
【０００２】
従来のこの種の屋外トイレ用外枠は、ジュラルミン等からなる専用のフレームと、このフレームの内側に吊り下げられる外幕とから構成されている。この内部に可搬式のトイレを設置するのである。
【０００３】
また、シート素材を上側から吊り下げたタイプのものもある（特許文献１）。
【０００４】
【特許文献１】特開平９−２２０１７５号公報
【発明の開示】
【発明が解決しようとする課題】
【０００５】
しかしながら、上述したような屋外トイレ用外枠では、外幕がフレームの内側に吊り下げられているため、内部空間の有効容積がフレームより小さくなるため、フレームは若干大きめに構成する必要がある。また、屋外トイレ用外枠の内部には、可搬式のトイレのみならず、手洗い用の水を溜めたタンクや、トイレットペーパーホルダー、照明器具等の諸設備を設置しなければならないが、フレームが外側に位置するため、フレームに吊り下げることができないという問題があった。
【０００６】
また、強風時にフレームが破損することがあるが、この場合には、キャンプ場等のアウトドアでは入手しにくい新たな専用のフレームとの交換が必要となる。他のテントのフレームを流用することも考えられるが、一般的にテントのフレームはそのテントにのみ用いられる専用品であることが多く、実際に流用することは困難であった。
【０００７】
さらに、フレームを構成するジュラルミン等や外幕を構成する合成樹脂製布地は、廃棄時に燃えないごみとして処分しなければならないため、その場での処分が望ましい山小屋等での使用は困難であった。
【０００８】
また、吊り下げるタイプのものでは、風が吹いたときに安定しないという問題もある。
【０００９】
本発明は上記課題を解消するために創案されたものであって、内部にタンク等の諸設備を吊り下げることができ、処分が容易で、かつ風にも安定した屋外トイレ用外枠を提供することを目的としている。
【課題を解決するための手段】
【００１０】
本発明に係る屋外トイレ用外枠は、ポールを連結ジョイントにより組み合わせることにより構成されるフレームと、このフレームの外側に被せられ、フレームの内部を覆い隠すシート素材とを備えており、前記ポール及びシート素材は、生分解性プラスチックから構成されている。
【００１１】
前記ポールは、少なくとも外径が汎用品の合成樹脂製パイプと同一に設定されている。
【００１２】
また、前記フレームの天井部には、シート素材の天井面の略中央部を上側に向かって突出させる突出用ポールが設けられている。
【発明の効果】
【００１３】
本発明に係る屋外トイレ用外枠は、フレームの外側にシート素材を被せるようにしているので、屋外トイレ用外枠の内部にはフレームが露出している。このため、このフレームに手洗い用の水を溜めたタンクや、トイレットペーパーホルダー、照明器具等を吊り下げることができるというメリットがある。また、シート素材の内部にフレームがあるので、ある程度の風が吹いても安定している。
【００１４】
また、フレームやシート素材は、生分解性プラスチックから構成されているので、廃棄が簡単である。特に、その場での処分が望ましい山小屋等での使用に適している。
【００１５】
また、フレームを構成するポールは、少なくとも外径が汎用品の合成樹脂製パイプと同一に設定されており、各ポールは連結ジョイントで連結されているので、ポールが破損した場合には、応急措置として市販の汎用品の合成樹脂製パイプを流用することができる。
【００１６】
さらに、フレームの天井部に設けられた突出用ポールにより、シート素材の天井面の略中央部が上側に向かって突出されているので、シート素材の天井面に雨がたまらないというメリットがある。
【発明を実施するための最良の形態】
【００１７】
図１は本発明に係る屋外トイレ用外枠の概略的斜視図、図２は本発明に係る屋外トイレ用外枠を構成するフレームの概略的斜視図、図３は本発明に係る屋外トイレ用外枠を構成するフレームに用いられる第１の連結ジョイントの概略的斜視図、図４は本発明に係る屋外トイレ用外枠を構成するフレームに用いられる第２の連結ジョイントの概略的斜視図、図５は本発明に係る屋外トイレ用外枠を構成するフレームに用いられる第３の連結ジョイントの概略的斜視図である。
【００１８】
なお、本願明細書中における右側、左側、手前側、奥側、上側，下側等は、各図における右側、左側、手前側、奥側、上側、下側等を示している。
【００１９】
本発明に係る屋外トイレ用外枠は、各ポール１１０等を組み合わせることにより構成されるフレーム１００と、このフレーム１００の外側に被せられ、フレーム１００の内部を覆い隠すシート素材２００とを備えており、前記ポール１１０等及びシート素材２００は、生分解性プラスチックから構成されている。
【００２０】
前記フレーム１００は、２本の地面横ポール１１０と、この地面横ポール１１０の端部から直交上方向に連結される４本の縦ポール１２０と、前記縦ポール１２０の端部同士を連結する２本の天井横ポール１３０と、前記縦ポール１２０の間を連結する６本の補強ポール１４０Ａ、１４０Ｂ、１４０Ｃと、前記天井横ポール１３０を横切って連結される天井ポール１５０と、この天井ポール１５０の中央において連結され、上側に向かって突出する突出用ポール１６０と、各ポールを連結する第１の連結ジョイント１７０Ａ、第２の連結ジョイント１７０Ｂ及び第３の連結ジョイント１７０Ｃとを有している。なお、各ポール１１０等は、少なくとも外径が汎用品の合成樹脂製パイプと同一に設定されている。
【００２１】
前記第１の連結ジョイント１７０Ａは、図３に示すように、略Ｔ型に形成されており、縦軸部１７４Ａと、この縦軸部１７４Ａの中央から縦軸部１７４Ａに直交する方向に連設された横軸部１７５Ａと有している。前記横軸部１７５Ａの両端には、各ポールが挿入可能な挿入口１７１Ａ、１７２Ａが開設されている。また、前記縦軸部１７５Ａの一端には、各ポールが挿入可能な挿入口１７３Ａが開設されている。
【００２２】
また、前記第２の連結ジョイント１７０Ｂは、図４に示すように、一端に各ポールが挿入可能な挿入口１７１Ｂが設けられた横軸部１７４Ｂと、この横軸部１７４Ｂと直交する方向に連設された縦軸部１７５Ｂと、この横軸部１７５Ｂの中央から横軸部１７４Ｂに直交する方向に連設された中間軸部１７６Ｂと有している。従って、横軸部１７４Ｂ、縦軸部１７５Ｂ及び中間軸部１７６Ｂは、それぞれが互いに直交する方向に向かって延びていることになる。前記横軸部１７４Ｂの一端には、各ポールが挿入可能な挿入口１７１Ｂが、前記縦軸部１７５Ｂの一端には各ポールが挿入可能な挿入口１７２Ｂが、前記中間軸部１７６Ｂの一端には各ポールが挿入可能な挿入口１７３Ｂがそれぞれ開設されている。
【００２３】
さらに、前記第３の連結ジョイント１７０Ｃは、図５に示すように、一端に各ポールが挿入可能な挿入口１７１Ｃが設けられた横軸部１７４Ｃと、この横軸部１７４Ｃと直交する方向に連設された縦軸部１７５Ｃと、この横軸部１７５Ｃの中央から横軸部１７４Ｃに直交する方向に連設された中間軸部１７６Ｃと有している。従って、横軸部１７４Ｃ、縦軸部１７５Ｃ及び中間軸部１７６Ｃは、それぞれが互いに直交する方向に向かって延びていることになる。前記横軸部１７４Ｃの一端には、各ポールが挿入可能な挿入口１７１Ｃが、前記縦軸部１７５Ｃの一端には各ポールが挿入可能な挿入口１７２Ｃが、前記中間軸部１７６Ｃの一端には各ポールが挿入可能な挿入口１７３Ｃがそれぞれ開設されている。なお、この第３の連結ジョイント１７０Ｃは、第２の連結ジョイント１７０Ｂと左右対称になっている。
【００２４】
前記２本の地面横ポール１１０は、平行に設置される。この地面横ポール１１０のうち手前側の地面横ポール１１０の左端は前記第２の連結ジョイント１７０Ｂの挿入口１７１Ｂに挿入され、右端は第３の連結ジョイント１７０Ｃの挿入口１７１Ｃに挿入される。また、この地面横ポール１１０のうち奥側の地面横ポール１１０の左端は前記第３の連結ジョイント１７０Ｃの挿入口１７１Ｃに挿入され、右端は第２の連結ジョイント１７０Ｂの挿入口１７１Ｂに挿入される。なお、これらの第２の連結ジョイント１７０Ｂと第３の連結ジョイント１７０Ｃは、地面横ポール１１０と縦ポール１２０の下端とを連結するとともに、下側補強ポール１４０Ｃを連結するためのものである。
【００２５】
前記地面横ポール１１０に連結された第２の連結ジョイント１７０Ｂの挿入口１７３Ｂと、第３の連結ジョイント１７０Ｃの挿入口１７３Ｃには、それぞれ下側補強ポール１４０Ｃが連結される。この下側補強ポール１４０Ｃが連結されたことで、２つの第２の連結ジョイント１７０Ｂと２つの第３の連結ジョイント１７０Ｃとによって、２本の地面横ポール１１０と、２本の下側補強ポール１４０Ｃとが連結されたことになる。
【００２６】
一方、前記天井横ポール１３０は、１本が左側横ポール１３１と右側横ポール１３２との２本に分割されている。また、この２本の天井横ポール１３０は、地面横ポール１１０と同様に平行に設置される。
【００２７】
この２本の天井横ポール１３０のうち手前側の天井横ポール１３０の左側横ポール１３１の右端は第１の連結ジョイント１７０Ａの挿入口１７１Ａに、右側横ポール１３２の左端は第１の連結ジョイント１７０Ａの挿入口１７２Ａにそれぞれ挿入される。すなわち、この２本の天井横ポール１３０を構成する左側横ポール１３１と右側横ポール１３２とは、第１の連結ジョイント１７０Ａで連結されて１本の天井横ポール１３０となるのである。なお、第１の連結ジョイント１７０Ａは、縦軸部１７４Ａの挿入口１７３Ａが上側を向くようにセットされている。
【００２８】
また、この２本の天井横ポール１３０のうち奥側の天井横ポール１３０の左側横ポール１３１の右端は第１の連結ジョイント１７０Ａの挿入口１７１Ａに、右側横ポール１３２の左端は第１の連結ジョイント１７０Ａの挿入口１７２Ａにそれぞれ挿入される。すなわち、この２本の天井横ポール１３０を構成する左側横ポール１３１と右側横ポール１３２とは、第１の連結ジョイント１７０Ａで連結されて１本の天井横ポール１３０となるのである。なお、第１の連結ジョイント１７０Ａは、縦軸部１７４Ａの挿入口１７３Ａが上側を向くようにセットされている。
【００２９】
さらに、この天井横ポール１３０のうち手前側の天井横ポール１３０の左側横ポール１３１の左端は第３の連結ジョイント１７０Ｃの挿入口１７１Ｃに挿入され、右側横ポール１３２の右端は第２の連結ジョイント１７０Ｂの挿入口１７１Ｂにそれぞれ挿入される。
【００３０】
また、この天井横ポール１３０のうち奥側の天井横ポール１３０の左側横ポール１３１の左端は第２の連結ジョイント１７０Ｂの挿入口１７１Ｂに挿入され、右側横ポール１３２の右端は第３の連結ジョイント１７０Ｃの挿入口１７１Ｃにそれぞれ挿入される。
【００３１】
一方、縦ポール１２０は、１本が下側縦ポール１２１と上側縦ポール１２２との２本に分割されている。４本の縦ポール１２０のうち、手前左側の縦ポール１２０を構成する上側ポール１２２の上端は、第３の連結ジョイント１７０Ｃの挿入口１７２Ｃに挿入される。また、手前右側の縦ポール１２０を構成する上側ポール１２２の上端は、第２の連結ジョイント１７０Ｂの挿入口１７２Ｂに挿入される。また、奥左側の縦ポール１２０を構成する上側ポール１２２の上端は、第２の連結ジョイント１７０Ｂの挿入口１７２Ｂに挿入される。さらに、奥右側の縦ポール１２０を構成する上側ポール１２２の上端は、第３の連結ジョイント１７０Ｃの挿入口１７１Ｃに挿入される。
【００３２】
また、４本の縦ポール１２０のうち、手前左側の縦ポール１２０を構成する上側ポール１２２の下端は、第１の連結ジョイント１７０Ａの挿入口１７１Ａに挿入される。また、手前右側の縦ポール１２０を構成する上側ポール１２２の下端は、第１の連結ジョイント１７０Ａの挿入口１７１Ａに挿入される。また、奥左側の縦ポール１２０を構成する上側ポール１２２の下端は、第１の連結ジョイント１７０Ａの挿入口１７１Ａに挿入される。さらに、奥右側の縦ポール１２０を構成する上側ポール１２２の下端は、第１の連結ジョイント１７０Ａの挿入口１７１Ａに挿入される。
【００３３】
さらに、４本の縦ポール１２０のうち、手前左側の縦ポール１２０を構成する下側ポール１２１の下端は、第２の連結ジョイント１７０Ｂの挿入口１７２Ｃに挿入される。また、手前右側の縦ポール１２０を構成する下側ポール１２１の下端は、第３の連結ジョイント１７０Ｃの挿入口１７２Ｃに挿入される。また、奥左側の縦ポール１２０を構成する下側ポール１２１の下端は、第３の連結ジョイント１７０Ｃの挿入口１７２Ｃに挿入される。さらに、奥右側の縦ポール１２０を構成する下側ポール１２２の下端は、第２の連結ジョイント１７０Ｂの挿入口１７２Ｂに挿入される。
【００３４】
また、４本の縦ポール１２０のうち、手前左側の縦ポール１２０を構成する下側ポール１２１の上端は、第１の連結ジョイント１７０Ａの挿入口１７２Ａに挿入される。また、手前右側の縦ポール１２０を構成する下側ポール１２１の上端は、第１の連結ジョイント１７０Ａの挿入口１７２Ａに挿入される。また、奥左側の縦ポール１２０を構成する下側ポール１２１の上端は、第１の連結ジョイント１７０Ａの挿入口１７２Ａに挿入される。さらに、奥右側の縦ポール１２０を構成する下側ポール１２２の上端は、第１の連結ジョイント１７０Ａの挿入口１７２Ａに挿入される。
【００３５】
これによって、２本の地面横ポール１１０と、２本の天井横ポール１３０と、４本の縦ポール１１０と、２本の下側補強ポール１４０Ｃとが連結されたことになる。
【００３６】
残りの４本の補強ポールのうち、２本の上側補強ポール１４０Ａは、手前左上側の第３の連結ジョイント１７０Ｃの挿入口１７３Ｃと奥左上側の第２の連結ジョイント１７０Ｂの挿入口１７３Ｂとの間、手前右上側の第２の連結ジョイント１７０Ｂの挿入口１７３Ｂと奥右上側の第３の連結ジョイント１７０Ｃの挿入口１７３Ｃとにそれぞれ挿入される。また、２本の中間補強ポール１４０Ｂは、縦ポール１２０の中間に位置する第１の連結ジョイント１７０Ａの挿入口１７３Ｂにそれぞれ挿入される。なお、各補強ポール１４０Ａ、１４０Ｂ、１４０Ｃは互いに平行になっている。
【００３７】
また、フレーム１００の前記天井横ポール１３０を横切って連結される天井ポール１５０は、手前側ポール１５１と奥側ポール１５２との２本に分割されている。手前側ポール１５１の手前端は下側に向かって折曲され、奥側ポール１５２の奥端も下側に向かって折曲されている。
【００３８】
手前側ポール１５１と奥側ポール１５２とは第１の連結ジョイント１７０Ａの挿入口１７１Ａ、１７２Ａにそれぞれ挿入されることによって、１本の天井ポール１５０となっている。そして、この天井ポール１５０の手前端、すなわち手前側ポール１５１の手前端と、奥側端、すなわち奥側ポール１５２の奥側端とは、天井横ポール１３０の中間に位置する第１の連結ジョイント１７０Ａの挿入口１７３Ａに挿入されている。
【００３９】
さらに、天井ポール１５０の中間に位置する第１の連結ジョイント１７０Ａの上向きになった縦軸部１７４Ａの挿入口１７３Ａには、突出用ポール１６０が挿入される。このため、この突出用ポール１６０は、上側に向かって突出することになる。
【００４０】
なお、地面横ポール１１０及び天井横ポール１３０の長さ寸法（屋外トイレ用外枠の幅寸法に相当）がそれぞれ９４０ｍｍ、縦ポール１２０の長さ寸法（屋外トイレ用外枠の実質的高さ寸法に相当）が１３９０ｍｍ、補強用ポール１４０Ａ等の長さ寸法（屋外トイレ用外枠の奥行き寸法に相当）がそれぞれ９４０ｍｍ、地面から突出用ポール１６０の上端までの高さ寸法（屋外トイレ用外枠の外形的高さ寸法に相当）が１６７０ｍｍにすることが望ましいが、各ポールの長さはこれに限定されるものではない。
【００４１】
このようにして構成されたフレーム１００の外側に被せられるシート素材２００は、例えば、トウモロコシ由来の生分解性プラスチックシートから構成されている。
かかるシート素材２００は、２枚の扉シート２１０と、この扉シート２１０と連結された２枚の側面シート２２０（図面では、一方の側面シートのみが示されている）と、この２枚の側面シート２２０をつなぎ、前記２枚の扉シート２１０と平行になる１枚の奥側シート２３０と、扉シート２１０、側面シート２２０及び奥側シート２３０の上端で連結される１枚の天井シート２４０とを有している。
【００４２】
前記側面シート２２０は、上側補強ポール１４０Ａと下側補強ポール１４０Ｃと、これらによって連結される２本の縦ポール１２０とによって構成される屋外トイレ用外枠の側面を覆うものである。また、前記奥側シート２３０は、左右の奥側の縦ポール１２０と、奥側の地面横ポール１１０と、奥側の天井横ポール１３０とによって構成される屋外トイレ用外枠の奥側面を覆うものである。さらに、天井シート２４０は、２本の上側補強ポール１４０Ａと手前側の天井横ポール１３０と奥側の天井横ポール１３０とによって構成される屋外トイレ用外枠の天井面を覆うものである。
【００４３】
一方、前記２枚の扉シート２１０は、手前側の地面横ポール１１０と、手前側の天井横ポール１３０と、手前側の２本の縦ポール１２０とによって構成される屋外トイレ用外枠の前面を覆うものである。しかし、この扉シート２１０が他のシートと相違する点は、この扉シート２１０が２枚から構成され、中央から左右に向かって開くようになっている点である。これは、扉シート２１０の部分が、この屋外トイレ用外枠の出入り口になっていることからの要請である。
【００４４】
また、各シートの内側には、各ポールに固定するための面ファスナー２５０が取り付けられている。さらに、２枚の扉シート２１０の重なり合う部分には、使用中に扉シート２１０が不用意に開かないように面ファスナー（図示省略）が取り付けられている。
【００４５】
なお、図面中２６０は、屋外トイレ用外枠の内側の地面に敷かれるグランドシートである。
【００４６】
このように構成されたシート素材２００を図示しないペグ等の固定部材によって地面に固定されたフレーム１００に外側から被せ、前記各面ファスナー２５０でフレーム１００に固定し、前記グランドシート２６０を地面に敷くことにより、屋外トイレ用外枠が完成する。この屋外トイレ用外枠の内部に可搬式のトイレを設置することにより、屋外トイレとして使用することが可能になる。
【００４７】
なお、上述した実施例では、フレーム１００は、いわば直方体状になっているが、他の形状、例えば、立方体状、円筒形状、錐形状、多角筒状であってもよいことはいうまでもない。
【図面の簡単な説明】
【００４８】
【図１】本発明に係る屋外トイレ用外枠の概略的斜視図である。
【図２】本発明に係る屋外トイレ用外枠を構成するフレームの概略的斜視図である。
【図３】本発明に係る屋外トイレ用外枠を構成するフレームに用いられる第１の連結ジョイントの概略的斜視図である。
【図４】本発明に係る屋外トイレ用外枠を構成するフレームに用いられる第２の連結ジョイントの概略的斜視図である。
【図５】本発明に係る屋外トイレ用外枠を構成するフレームに用いられる第３の連結ジョイントの概略的斜視図である。
【符号の説明】
【００４９】
１００    フレーム
２００    シート素材
【図１】
2005273379.tif 000003
【図２】
2005273379.tif 000004
【図３】
2005273379.tif 000005
【図４】
2005273379.tif 000006
【図５】
2005273379.tif 000007